(57)【要約】      （修正有）【課題】確実に機能し、寿命の長い自動しおりを有するブック用具を提供する。【解決手段】書籍に挟み、ページをめくった時に次のページに自動しおりの先端部が移動し、書籍を閉じると開いていた位置に自動しおりの先端部が保持されるブック用具において、自動しおりのしおり部は弾性撓み部と連結されており、該弾性撓み部のもう一方の端部は、保持部の上部と連結され、挟み幅Ｄを０．０５ｍｍから最大４０ｍｍとし、前記弾性撓み部の寸法の長さＬは２０〜７０ｍｍ、高さは１〜５ｍｍ、厚さは０．２〜１．０ｍｍとした自動しおりであることを特徴とする。【選択図】図１
0003145153.tif 000002
【実用新案登録請求の範囲】
【請求項１】
書籍に挟み、ページをめくった時に次のページに自動しおりの先端部が移動し、書籍を閉じると開いていた位置に自動しおりの先端部が保持されるブック用具において、
自動しおりのしおり部は弾性撓み部と連結されており、該弾性撓み部のもう一方の端部は、保持部の上部と連結され、挟み幅Ｄを０．０５ｍｍから最大４０ｍｍとし、前記弾性撓み部の寸法の長さＬは２０〜７０ｍｍ、高さＨは１〜５ｍｍ、厚さＴは０．２〜１．０ｍｍとした自動しおりであることを特徴とするブック用具。
【請求項２】
前記弾性撓み部の曲げ応力σの値が、
σ＝０．７５×（Ｄ×Ｔ／Ｌ２）×Ｅ
の関係式により得られ、撓み量Ｄと、厚さＴと、長さＬの寸法の選定に対し、
前記曲げ応力σが、材料の弾性限界σｅの０．９５倍の最大使用応力σａを超えないよう、材料の弾性係数Ｅを選定すると共に、コーナーがＲ等の滑らかな形状とすることにより、接触辺２ａのページ送りがしやすく、加えて前記弾性撓み部の取付部３ａの応力集中が緩和されることを特徴とする請求項１記載のブック用具。
【請求項３】
ブックカバーの一部の面に、自動しおりが、溶接、接着、縫合、等の結合手段により固定取付されていることを特徴とする請求項１、又は請求項２記載のブック用具。
【請求項４】
ブックカバーの一部の面に、ポケット部が設けられ、該ポケット部に、前記自動しおりを挿入し、自動しおりの機能を発揮する請求項１、又は請求項２記載のブック用具。
【考案の詳細な説明】
【技術分野】
【０００１】  本考案は、書籍に挟み、ページをめくった時に次のページに自動しおりの先端部が移動し、書籍を閉じると開いていた位置に自動しおりの先端部が保持される自動しおりの機能を有するブック用具に関する。
【背景技術】
【０００２】  従来、書籍のページをめくった時に次のページに自動的にしおりの先端部が移動するタイプのしおりを有するブック用具は、いくつか知られている。【０００３】  例えば、特開２０００−１９０６６１号（以下「引例１」という）においては、連結部１４としおり部１３は折り目２９を介して略直角に折り曲げられている。
しかるに折り目２９は本の厚さ方向に対し折った位置が決められてしまうため、折り目の位置より数ページの時は、折り角度により追従できるが、ページ数が多くなると折り角度に無理が生じ、スムースにしおり部の移動ができず、挟み代えて折り目を作り変えねばならない欠点を有していた。【０００４】  そのため何度も折り目を作ることになり連結部１４は折り目の痕だらけとなり、折癖が邪魔して上手くしおり部が移動しない結果となっていた。【０００５】  また連結部１４は１枚のページの水平方向に対し同じ水平方向に幅が広くなっているため、ページをめくったとき、連結部１４の曲げ強度が大きいために柔軟性に欠き、しおり部１３を跳ね上げる形でしかページの送りができず、無理にページをめくるとしおり部１３のエッジがペーパーナイフのような作用となり、ページ紙が破れてしまうという構造上の欠点を有していた。【０００６】  更に現実の使用においては、単なる概略形状の構成であるため、数回の使用はできても、長期の使用には対応できないものとなっていた。【０００７】  しおり部のエッジ部が直角であると、前記上部連結部の付け根が応力集中により変形してしまう等の問題点が発生し、無理にめくるとページ紙を破ってしまうこともあり、これらの問題点を発生しない構造が望まれていた。【０００８】
【特許文献】  特開２０００−１９０６６１号
【考案の開示】
【考案が解決しようとする課題】
【０００９】  本考案は上記の問題点を解決し、確実に機能し、寿命の長い自動しおりを有するブック用具を提供するものである。
【課題を解決するための手段】
【００１０】  書籍に挟み、ページをめくった時に次のページに自動しおりの先端部が移動し、書籍を閉じると開いていた位置に自動しおりの先端部が保持されるブック用具において、
自動しおりのしおり部は弾性撓み部と連結されており、該弾性撓み部のもう一方の端部は、保持部の上部と連結され、挟み幅Ｄを０．０５ｍｍから最大４０ｍｍとし、前記弾性撓み部の寸法の長さＬは２０〜７０ｍｍ、高さＨは１〜５ｍｍ、厚さＴは０．２〜１．０ｍｍとした自動しおりであることを特徴とするブック用具を提供する。【００１１】  前記弾性撓み部の曲げ応力σの値が、
σ＝０．７５×（Ｄ×Ｔ／Ｌ２）×Ｅ
の関係式により得られ、撓み量Ｄと、厚さＴと、長さＬの寸法の選定に対し、
前記曲げ応力σが、材料の弾性限界σｅの０．９５倍の最大使用応力σａを超えないよう、材料の弾性係数Ｅを選定すると共に、コーナーがＲ等の滑らかな形状とすることにより、接触辺２ａのページ送りがしやすく、加えて前記弾性撓み部の取付部３ａの応力集中が緩和されることを特徴とする請求項１記載のブック用具を提供する。【００１２】  ブックカバーの一部の面に、自動しおりが、溶接、接着、縫合、等の固定手段により固定取付されていることを特徴とする請求項１、又は請求項２記載のブック用具を提供する。【００１３】  ブックカバーの一部の面に、ポケット部が設けられ、該ポケット部に、前記自動しおりを挿入し、自動しおりの機能を発揮する請求項１、又は請求項２記載のブック用具を提供するものである。
【考案の効果】
【００１４】（１）弾性撓み部３の断面寸法と、材料の弾性係数Ｅを選定することにより、弾性撓み部３が弾性限界を超えて折れ曲がることがない安定した性能を有する自動しおりを提供する。【００１５】（２）押さえ力が不足で、ページをめくった時に、摩擦力に打勝てず、次のページまでしおり部が移動しないことがない。【００１６】（３）また逆に押さえ力が強すぎてしおり部で、ページ紙を破ってしまったりするトラブルがない。【００１７】（４）また、コーナーが滑らかなＲとなった形状を最初から製作することにより、接触辺２ａがページ紙１２を滑る場合にも、滑らかに滑ることができ、しかも一回の工程で製作でき、生産コストの安い自動しおり１の構造を提供することができる。特にポリプロピレン等の合成樹脂製とした場合、射出成形法を採用することが、更に望ましい。
前記弾性撓み部３の取付部３ａの応力集中が防がれ、強度の強いものが製作できるようになったのである。【００１８】（５）ブックカバーの一部の面に、自動しおりを、結合手段により、取り付けたり、または、ブックカバーの一部の面に取り付けられたポケット部に、自動しおりを挿入することにより、自動しおりが移動せず安定した性能を発揮できると共に、自動しおりの紛失を防ぐことができるきわめて合理的な構成を提供することができる。
【考案を実施するための最良の形態】
【００１９】  本考案は、考案の効果に前述した如く、自動しおりに関し、使いやすさと高度な信頼性を発揮する画期的な構造を提供するものである。
また、本考案の前記並びにそのほかの目的と新規な特徴は次の説明を添付図面と照らし合わせて読むと、より完全に明らかとなる。但し、図面はもっぱら解説のためであって、本考案の技術的範囲を限定するものではない。【００２０】  以下、本考案の実施例１について、図面を参照しながら説明する。
【実施例１】
【００２１】  図１は実施例１の使用状態の斜視図であり、図２は本考案の実施例１の正面図、図３はその平面図を示すものである。【００２２】  本１０を開いた見開き部１１には自動しおり１のしおり部２が挟まれページ紙１２を該しおり部２が、しおりの弾性力により押えている。
ページ紙１２がめくられると、しおり部２の接触辺２ａがページ紙１２の上端をすべり、しおり部２は次のページ紙に弾性力により自動的に移動するように構成されている。【００２３】  図２に示すように、自動しおり１のしおり部２は、弾性撓み部３と連結されており、該弾性撓み部３の寸法は、高さＨ、厚さＴの断面となっており、長さはＬとなっている。該弾性撓み部３のもう一方の端部である取付部３ａは、保持部４の上部４ａと連結され、前記しおり部２、弾性撓み部３、および保持部４とは一体のシート状に形成されている。【００２４】  本１０の裏表紙１３とページ紙１２の間、若しくはページ紙１２の中間位置に、保持部４が挟まれており、自動しおり１の全体を本の挟み力により保持している。
また、図１に示すように、保持部４に糊付け部４ｂを設け、更に自動しおり１の固定を強固にすることができる。該糊付け部４ｂは多数回、着脱可能なものを使用することが望ましい。【００２５】  図４は実施例１の使用状態の平面図を示すものである。裏表紙１３とページ紙１２の間には、保持部４が挟まれており、保持部４を固定支点とし、他端は、しおり部２の接触辺２ａが、ページ紙１２に接する接点となり、前記弾性撓み部３の弾性により押え力Ｐが接点に発生し、前記弾性撓み部３は片持梁の状態で、挟み幅Ｄを撓み量とする曲げ変形を受けている。【００２６】  したがって材料力学的に解析すると
押え力Ｐ（ｇ）は
Ｐ＝１．５×Ｅ×Ｉ×Ｄ／Ｌ３＝（１／８）×Ｄ×Ｅ×Ｈ×Ｔ３／Ｌ３    （式１）
の関係が成立している。【００２７】  ここに、Ｅは材料の弾性係数で、Ｉは断面２次モーメントであり、
押さえ力Ｐ（ｇ）は撓み量Ｄ（ｍｍ）と前記弾性撓み部３の寸法の高さＨ、厚さＴ、長さＬと、材料の弾性係数Ｅにより決定される。【００２８】  したがって、材料の弾性係数Ｅと前記弾性撓み部３の寸法の選定により押え力Ｐ（ｇ）は決定され、該押え力Ｐ（ｇ）が小さすぎると、摩擦力に負けてしおり部２のページ送りができなくなり、反対に押え力Ｐ（ｇ）が大き過ぎると前記弾性撓み部３に発生する曲げ応力σが大きくなりすぎ前記弾性撓み部３が曲がってしまったり、破損してしまったり、ページ紙１２が負けて破れてしまうのである。【００２９】  また、前記弾性撓み部３に発生する曲げ応力σは、
σ＝Ｐ×Ｌ／Ｚ＝Ｐ×Ｌ×６／（Ｈ×Ｔ２）          （式２）
の関係が成り立つ。【００３０】  ここに、σは曲げ応力（ｇ／ｍｍ２）、Ｚは、断面係数（ｍｍ３）である。
（式１）と（式２）を合成すると
σ＝（（１／８）×Ｄ×Ｅ×Ｈ×Ｔ３／Ｌ３）×Ｌ×６／（Ｈ×Ｔ２）
＝０．７５×Ｅ×Ｄ×Ｔ／Ｌ２                      （式３）
したがって、曲げ応力σは、材料の弾性係数Ｅと撓み量Ｄ（ｍｍ）と、前記弾性撓み部３の寸法の厚さＴ、長さＬとから決定される。高さＨは曲げ応力σには無関係であることが解る。【００３１】  曲げ応力σは挟み幅Ｄと同一である撓み量Ｄ（ｍｍ）により、０から大きくなり、それに応じ押え力Ｐが大きくなるのである。【００３２】  しかるに従来の技術のものは、曲げ応力σが大きくなりすぎて、弾性限界σｅ（ｇ／ｍｍ２）を越えると、前記弾性撓み部３は塑性変形を起こし、原形に戻らず曲がったままとなるため次からの使用に供さなくなるという問題が解析の結果解明できたのである。【００３３】  また、曲げ応力σが更に大きくなりすぎて、破壊限界σｍ（ｇ／ｍｍ２）を越えると、前記弾性撓み部３は破損されてしまっていたが、同様に、その機構を解明できなかったため、品質が安定せず、破損品が多く出て、使用者からの苦情が多く発生していたのである。【００３４】  したがって考案者は種々の試験を試み、材料の選定と前記弾性撓み部３の寸法の選定を適正にすることにより、初めて安定した機能を発揮できるしおりを提供することが出来たのである。実施例１に即してそれらを述べる。【００３５】  本考案は、その対象範囲として一般者が通常携帯しない特殊な大型本は除き、携帯本として使用される、いわゆる中型本、小型本、文庫本等を対象とする。【００３６】  本１０の通常寸法から、挟み幅Ｄｍｍをページ紙１枚の厚さである０．０５ｍｍから最大４０ｍｍを対象に考える。【００３７】  挟み幅Ｄｍｍに対し、前記弾性撓み部３の寸法は、長さＬは２０〜７０ｍｍ、高さＨは１〜５ｍｍ、厚さＴは０．２〜１．０ｍｍが望ましいということが解ったのである。【００３８】  それらを詳説すると、長さＬに関しては、２０ｍｍより小さいと挟み幅Ｄｍｍをページ紙２〜３枚の厚さである０．１ｍｍ〜０．１５ｍｍとしても、その曲げ変形のためには２０ｍｍは必要で指の大きさとの関係より急に使いづらいものとなるのである。【００３９】  また最大挟み幅Ｄを４０ｍｍとした場合にも、長さＬは最大７０ｍｍあれば十分で、それ以上は不必要に大きすぎ、押え力が弱くなり、また大型化し、経済的でないのである。【００４０】  高さＨに関しては、曲げ応力からの制限はないが、余り小さいとしおり部２に掛かる押え力Ｐにより前記弾性撓み部３に捻り変形が発生するため、１ｍｍ以上は必要で、また最大は５ｍｍで十分でそれ以上だと本１０の上端より自動しおり１が上部に飛び出し、携帯時邪魔になるのである。【００４１】  厚さＴに関しては、０．１ミリより薄すぎると、薄いためカッターのように、手や体に切り傷を与えやすく安全上好ましくない。【００４２】  また厚さＴが１．０ｍｍより厚すぎると押さえ力Ｐが大きくなりすぎ、曲げ応力σも大きくなりすぎるため、バランス上好ましくないのである。【００４３】  また、材料は、ポリプロピレン、アクリル、塩化ビニール等の合成樹脂、または、軟鋼、ステンレス鋼、アルミ、真鍮等の金属、あるいは、紙等と板状のものであれば、種々選定でき、上記の材料力学的関係を発揮できればいずれでも良いのである。【００４４】  しかるに、材料の弾性係数Ｅは、上記の前記弾性撓み部３の寸法範囲に対し、（式３）よ���得られる曲げ応力σが弾性限界σｅを超えないことが重要であるが、ただし自動しおり１の使用状態においては、しおり部２を指で摘んで、表表紙１４側にセットする時、挟み幅Ｄｍｍに対し、０〜約５％過大に引き出すことが実験により確かめられたのである。そうすると曲げ応力σは、弾性限界σｅを超えるため、長い使用では、曲がり変形を起こしてしまう。そのため、多くの実験の結果、最大使用応力σａを弾性限界σｅの０．９５倍と設定することにより、実使用状態で曲げ変形をふさぐ事ができることを確認することができたのである。
このように設定することで、材料の弾性係数Ｅを選定することにより達成できるのである。【００４５】  更にしおり部２の寸法は、図５に示す如く、ページ紙１２の上端に対し、接触辺２ａは角度θが９０度を超え、１３５度以内に形成されている。このことによりページ紙１２をめくった時に、ページ紙の上端と、接触辺２ａは角度θ傾斜した状態で接触するため、接触辺２ａの上を滑るように、ガイドされるためスムースなページ送りができるのである。【００４６】  図６はしおり部２が、図中右側に曲がっている。そのため接触辺２ａは図中左側となり、同様に、ページ紙１２の上端と、接触辺２ａは角度θ傾斜した状態で接触するため、接触辺２ａの上を滑るように、ガイドされるためスムースなページ送りができるのである。なお、接触辺２ａは、実施例のような曲線でも、また、直線でも折れ線でも良いのである。【００４７】  また、弾性撓み部３の断面は、実施例の図面に示した矩形だけでなく、円でも、楕円でも、長円でも、多角形等でもよく、その場合は断面係数Ｚ、断面２次モーメントＩをその形状に合わせて計算すれば良いのである。
【実施例２】
【００４８】  実施例２は、実施例１に対し、特に望ましい寸法と応力関係を示すもので、挟み幅Ｄを最大２０ｍｍとし、長さＬは３５〜４５ｍｍ、高さＨは２．５〜４ｍｍ、厚さＴは０．４〜０．６ｍｍとした。【００４９】  材料は一例として、ポリプロピレン等の合成樹脂とし、その弾性係数Ｅを、たとえばＥ＝５０×１０８（ｇ／ｍｍ２）とすると（式３）より、
σ＝０．７５×Ｅ×Ｄ×Ｔ／Ｌ２
＝０．７５×５０×１０８×２０×（０．４〜０．６）／（３５２〜４５２）
＝（１．４８〜３．６７）×１０５（ｇ／ｍｍ２）となる。【００５０】    ポリプロピレン等の材料を調合し、弾性限界σｅ＝４．０×１０５（ｇ／ｍｍ２）の材料を採用すれば最大使用応力σａ＝０．９５×４．０×１０５（ｇ／ｍｍ２）＝３．８×１０５（ｇ／ｍｍ２）で、σ＜σａであり、塑性変形を発生しないものとすることが出来るのである。
【実施例３】
【００５１】    図７、図８に示すように、これらの実施例では、全体の形状を白鳥のような鳥の意匠とし、加えて保持部４の上部４ａをしおり部側に切り込ませる形状としている。【００５２】  このように形成すると上部４ａに押さえ力Ｐが伝達されると、該上部４ａが捻り変形を起こすことにより弾性撓み部３の取付部３ａが旋回することにより、曲げ応力σが軽減されるという効果を発揮するものとなっている。【００５３】  図１０は、従来のプレス打抜きにより製作したときに、金型の形状が、良好でない場合に、打ち抜きによりバリ７が発生した例を示すもので、それがページ紙１２をめくる時の抵抗となる。そのバリ７を除くためにバリ取り作業を入れると、手間と時間と製作費がかかり実際の生産には適さないものとなるため、打ち抜き金型の製作精度を高め、バリの発生のない金型を採用することにより良好な形状とすることができる。
図１１は図２に示す断面Ａ−Ａの断面図を示すもので、コーナーにバリが発生しないように最初から製作精度の高い金型により製作するため、凸型と、凹型の、嵌め合い精度を高めることにより、接触辺２ａがページ紙１２を滑る場合にも、滑らかに滑ることができ、しかも一回の工程で製作でき、生産コストの安い自動しおり１を提供することができるのである。
【実施例４】
【００５４】    図９に示すように、この実施例は、保持部４に、Ｕ字形の切込み５を開口し、
その中間部に、自動しおり１のクリップ部６を設けたものである。このクリップ部６を保持部４を挟む場所のページ紙１２に挟むことにより、自動しおりの固定ができるように構成したものである。自動しおりの機能は、前述した実施例１から実施例４と同様である。
【実施例５】
【００５５】  本実施例は、請求項３記載のブックカバーと自動しおりとが、結合手段により一体化された実施例である。
図１２は、実施例５の全体斜視図を示すものであり、図１３は、実施例５の平面図を示すもので、図１４は、実施例５のブックカバー２０の展開図を示すものである。【００５６】  ブックカバー２０の一部には、裏表紙１３を挟める裏表紙折返し部２１があり、他方、ブックカバー２０の全体の反対側には、表表紙１４を挟める表表紙折返し部２２が設けてある。【００５７】    表表紙折返し部２２は、ブックカバー２０に、溶接、接着、縫合、等の結合手段２４（以下一点鎖線で示す）により取付けられた押えベルト２３によって、表表紙折返し部２２は押えられ、ブックカバー２０が容易に外れないように構成されている。【００５８】  図１４に示すように、ブックカバー２０の一部の面である裏表紙折返し部２１には、自動しおり１の保持部４が溶接、接着、縫合、等の結合手段２４（以下一点鎖線で示す）により取付けられている。
本１０は、２点鎖線で示すように、ブックカバー２０に収容されている。【００５９】  一般に多用されるブックカバーの機能については、詳説しないが、このように構成することにより、裏表紙折返し部２１には、自動しおり１の保持部４が溶接、接着、縫合、等の結合手段２４により取付けられているため、自動しおり１は、移動することなく安定して位置を保つことができる。【００６０】  本１０を開いた見開き部１１には自動しおり１のしおり部２が挟まれページ紙１２を該しおり部２が、しおりの弾性力により押えている。
ページ紙１２がめくられると、しおり部２の接触辺２ａがページ紙１２の上端をすべり、しおり部２は次のページ紙に弾性力により自動的に移動するように構成されている。【００６１】  本実施例の特徴は、自動しおり１が、予めブックカバー２０の一部の面である裏表紙折返し部２１に固定されているため、位置移動がなく、しおり部２は、常に最適位置に保持されるため、糊付け部４ｂ等が不要となることである。
これは、読書時、しおりの上下、左右方向への移動を気にする必要がないことと、しおりの紛失を防ぐ効果がある。
【実施例６】
【００６２】  本実施例は、実施例５の別の構成を示すもので、請求項４記載のブックカバー２５と自動しおりとが、組合された実施例である。
図１５は、実施例６の全体斜視図を示すものである。
図１６は、実施例６の平面図を示すもので、図１７は、実施例６のブックカバー２１の展開図を示すものである。【００６３】  ブックカバー２５の一部には、裏表紙１３を挟める裏表紙折返し部２６があり、他方、ブックカバー２５の全体の反対側には、表表紙１４を挟める表表紙折返し部２７が設けてある。
表表紙折返し部２７は、ブックカバー２５に、溶接、接着、縫合、等の結合手段２４により取付けられた折返し押えベルト２８によって、表表紙折返し部２７は押えられ、ブックカバー２５が容易に外れないように構成されている。【００６４】  図１７に示すように、裏表紙折返し部２６には、自動しおり１を挟み込むポケット部２９が、設けられ溶接、接着、縫合、等の結合手段２４により取付けられている。
前記ポケット部２９に、自動しおり１の保持部４が、嵌めこまれて略固定の状態となっている。
本１０は、２点鎖線で示すように、ブックカバー２５に収容されている。【００６５】  このように構成することにより、自動しおり１は、ポケット部２９により移動することなく安定して位置を保つことができる。
したがって同様の効果を発揮できる。【００６６】  本実施例６の特徴は、自動しおり１が、ポケット部２９に挿入、収容されるため、位置移動がなく、しおり部２は、常に最適位置に保持されるため、糊付け部４ｂ等が不要となることと共に、自動しおりを差し替え、他のブックカバー２５に流用使用できることである。したがって同様に、読書時、しおりの上下、左右方向への移動を気にする必要がないことと、しおりの紛失を防ぐ効果がある。
【産業上の利用可能性】
【００６７】  本技術は、携帯可能な書籍の全てに対して適用できるので、愛読者の利便性向上による読書率の向上による文化的貢献と共に、新開発品による、新規市場を開拓することによる産業の発展に寄与することができる。
【図面の簡単な説明】
【００６８】
【図１】実施例１及び２の使用状態の斜視図である。
【図２】実施例１及び２の正面図である。
【図３】実施例１及び２の平面図である。
【図４】実施例１及び２の使用状態の平面図である。
【図５】実施例１及び２のしおり部の使用状態を示す正面図である。
【図６】実施例１及び２の別のしおり部の使用状態を示す正面図である。
【図７】実施例３の正面図である。
【図８】実施例３の別の形状の正面図である。
【図９】実施例４の正面図である。
【図１０】従来の技術のしおり部の断面図である。
【図１１】第２図に示す本考案技術のしおり部２のＡ−Ａ断面図である。
【図１２】実施例５の全体斜視図である。
【図１３】実施例５の平面図である。
【図１４】実施例５の展開図である。
【図１５】実施例６の全体斜視図である。
【図１６】実施例６の平面図である。
【図１７】実施例６の展開図である。
【符号の説明】
【００６９】１………自動しおり
２………しおり部
２ａ………接触辺
３………弾性撓み部
３ａ………取付部
４………保持部
４ａ………上部
４ｂ………糊付け部
５………切込み
６………クリップ部
７………バリ
１０………本
１１………本の見開き部
１２………ページ紙
１３………裏表紙
１４………表表紙
２０、２５………ブックカバー
２１、２６………裏表紙折返し部
２２、２７………表表紙折返し部
２３、２８………押えベルト
２４………結合手段
２９………ポケット部
【図１】
0003145153.tif 000003
【図２】
0003145153.tif 000004
【図３】
0003145153.tif 000005
【図４】
0003145153.tif 000006
【図５】
0003145153.tif 000007
【図６】
0003145153.tif 000008
【図７】
0003145153.tif 000009
【図８】
0003145153.tif 000010
【図９】
0003145153.tif 000011
【図１０】
0003145153.tif 000012
【図１１】
0003145153.tif 000013
【図１２】
0003145153.tif 000014
【図１３】
0003145153.tif 000015
【図１４】
0003145153.tif 000016
【図１５】
0003145153.tif 000017
【図１６】
0003145153.tif 000018
【図１７】
0003145153.tif 000019